(57)【要約】      （修正有）【課題】滑車への取り付け取外しがワンタッチで出来、耐久性がある、滑車用巻込み防止具を提供する。【解決手段】金属製の略円錐台形状の筒状体から成る本体１を設け、当該本体１は筒状体の軸方向に二等分され、各分割片の相対向する一方の端縁に蝶番２を設けて当該二つの分割片を開閉自在に設け、当該各分割片外面から広口の開口縁を越えて夫々アーム部５、５を夫々外方に突出させて設け、当該各アーム部５、５の先端に磁石８、８を夫々設け、上記本体１を開き、開いた本体１を金属製の滑車Ｂ近くのワイヤロープＣに被せ、上記２本のアーム部５、５の磁石８、８を使って上記滑車Ｂの外側に固着させて当該本体１の開放端を閉じることとした。【選択図】図１
2018138482.tif 000002
【特許請求の範囲】
【請求項１】
金属製の略円錐台形状の筒状体から成る本体を設け、当該本体は筒状体の軸方向に二等分され、各分割片の相対向する一方の端縁に蝶番を設けて当該二つの分割片を開閉自在に設け、当該各分割片外面から広口の開口縁を越えて夫々アーム部を夫々外方に突出させて設け、当該各アーム部の先端に磁石を夫々設け、
上記本体を開き、開いた本体を金属製の滑車近くの線条体に被せ、上記２本のアーム部の磁石を使って上記滑車の外側に固着させて当該本体の開放端を閉じることを特徴とする、滑車用巻込み防止具。
【請求項２】
上記各分割片の相対向する他方の端縁に凹凸形状の係止具を夫々設けたことを特徴とする、上記請求項１に記載の滑車用巻込み防止具。
【請求項３】
上記本体の内側に緩衝材を設けたことを特徴とする、上記請求項１又は２の何れかに記載の滑車用巻込み防止具。
【請求項４】
上記本体の外側に目立つ着色を行い、注意喚起を図る様にしたことを特徴とする、上記請求項１、２又は３の何れかに記載の滑車用巻込み防止具。
【発明の詳細な説明】
【技術分野】
【０００１】
この発明は、鉄塔等の高所に工事資材や工具を運ぶ滑車等に取付けて、作業員の腕や衣服などの巻込みを防止する滑車用巻込み防止具に関するものである。
【背景技術】
【０００２】
従来、鉄塔の他、様々なところで、工事資材や工具等を運搬するのに滑車（金車）が一般的に使用されている。この様な滑車は使用するワイヤロープ類の力の方向を自在に変える手段として活用され、便利であるが、作業中に、作業員の指や手もしくは腕または衣服の一部が当該滑車や出入りするワイヤロープ類に接触したり、当該滑車に出入するワイヤロープに巻き込まれたりする事故が後を絶たない。
【０００３】
この様な事故を未然に防ぐものとして、例えば、特許文献１の様なものが考えられている。これは、合成樹脂から成り、丸めて筒体を形成した際にその広口から狭口に向って縮径するテーパー状をなすシート状の本体部と、前記筒体を形成する際に前記本体部の辺々が重なり合う重なり部分を面ファスナとした固定部と、前記筒体の前記広口側に形成されて被装着対象である金車と嵌合して前記筒体を前記金車に係止させる切欠きとを有する着脱式金車巻き込み防止具である。
【特許文献１】特開２０１４−１２１１５２号公報
【発明の開示】
【発明が解決しようとする課題】
【０００４】
しかしながら、この様な巻込み防止具は、滑車及びワイヤロープへの取り付け取外しが容易であること、繰り返し通過する線条体との摺動や滑車本体の動揺に対して耐久性があること、さらに、作業時の利便性を損なわないといったことを満足する必要が有る。
【０００５】
これらの点、上記特許文献１に記載された着脱式金車巻き込み防止具は、本体部を丸めてロープ等を覆いながら、辺々の重なり部分を固定部により固定して筒体を形成し、最後に、金車から落下しない様に当該金車に固定用ワイヤや紐で固定したものであり、取り付け取外しに手間が掛り、金車に簡単に取り付け取外しが出来るものでは無く、また、風圧や張力変動による線条体や金車本体の動揺による線条体のずれなどが発生し易い。
【０００６】
この発明は、これらの点に鑑みて為されたもので、滑車（金車）やワイヤロープへの取り付け取外しがワンタッチで出来、耐久性がある、滑車用巻込み防止具を提供して上記課題を解決するものである。
【課題を解決するための手段】
【０００７】
請求項１の発明は、金属製の略円錐台形状の筒状体から成る本体を設け、当該本体は筒状体の軸方向に二等分され、各分割片の相対向する一方の端縁に蝶番を設けて当該二つの分割片を開閉自在に設け、当該各分割片外面から広口の開口縁を越えて夫々アーム部を夫々外方に突出させて設け、当該各アーム部の先端に磁石を夫々設け、上記本体を開き、開いた本体を金属製の滑車近くの線条体に被せ、上記２本のアーム部の磁石を使って上記滑車の外側に固着させて当該本体の開放端を閉じる滑車用巻込み防止具とした。
【０００８】
請求項２の発明は、上記各分割片の相対向する他方の端縁に凹凸形状の係止具を夫々設けた上記請求項１に記載の滑車用巻込み防止具とした。
【０００９】
請求項３の発明は、上記本体の内側に緩衝材を設けた上記請求項１又は２の何れかに記載の滑車用巻込み防止具とした。
【００１０】
請求項４の発明は、上記本体の外側に目立つ着色を行い、注意喚起を図る様にした上記請求項１、２又は３の何れかに記載の滑車用巻込み防止具とした。
【発明の効果】
【００１１】
請求項１の発明によれば、この滑車用巻込み防止具を線条体に被せ、アーム部の磁石で滑車に取り付けることとしたのでワンタッチで滑車や線条体に取付けることが出来、また、外す際もアーム部の磁石を外せばワンタッチで滑車等から取り外すことが出来、便利である。さらに、この滑車用巻込み防止具の本体を金属製としたので摩耗による耐久性から飛躍的に向上した。
【００１２】
請求項２の発明によれば、上記各分割片の相対向する他方の端縁に係止具を夫々設けたので、線条体に対する滑車用巻込み防止具の取り付け及び取外しがワンタッチでありながら、取り付けが確実に出来、便利であり、また、安心である。さらに、当該滑車用巻込み防止具が滑車から外れた場合でも、当該滑車用巻込み防止具は筒状を成しているため線条体から外れず、落下しない。
【００１３】
請求項３の発明によれば、上記本体の内側に緩衝材を設けて上記滑車の線条体が接触しても破損しないようにしたので、さらに、耐久性が向上し、器具として信頼性が高いものなった。
【００１４】
請求項４の発明によれば、上記本体の外側に目立つ着色を行い、注意喚起を図る様にしたので安全であり、また、この巻込み防止具が滑車に取付けられているか否かが一目で分かり、さらに安全である。
【図面の簡単な説明】
【００１５】
【図１】この発明の実施の形態例１の滑車用巻込み防止具を滑車近くのワイヤロープに被せて夫々滑車に取付けた状態の正面図である。
【図２】この発明の実施の形態例１の滑車用巻込み防止具の正面右側斜視図である。
【図３】この発明の実施の形態例１の滑車用巻込み防止具の背面左側斜視図である。
【図４】この発明の実施の形態例１の滑車用巻込み防止具を成す分割片の他方の端縁をやや開いた状態の正面右側斜視図である。
【図５】この発明の実施の形態例２の滑車用巻込み防止具を成す分割片の他方の端縁をやや開いた状態の正面右側斜視図である。
【図６】この発明の実施の形態例２の滑車用巻込み防止具の正面右側斜視図である。
【発明を実施するための最良の形態】
【００１６】
（実施の形態例１）
以下、この発明の実施の形態例１の滑車用巻込み防止具（以下、「巻込み防止具」と言う。）Ａを図に基づいて説明する。
【００１７】
この実施の形態例１の巻込み防止具Ａは、金属製で（ここでは鉄製とする。）、図２、図３及び図４に示す様に、略円錐台形状の筒状体から成る本体１を設け、この本体１を筒状体の軸方向に二等分して二つの分割片１ａ、１ｂとし、これらの分割片１ａ、１ｂの相対向する一方の端縁の外側に蝶番２を設けてボルト３とナット４で取り付けて当該分割片１ａ、１ｂを接続し、本体１を開閉自在に設けている。
【００１８】
また、これらの各分割片１ａ、１ｂの外面から広口の開口縁を越えて中空に突出したアーム部５、５が夫々設けられており、当該アーム部５、５は本体１にボルト６とナット７で取り付けられている（図１参照）。これらの各アーム部５、５の先端内側には円盤状の磁石８、８を夫々設けている。以上の様にして、この巻込み防止具Ａを形成している。
【００１９】
次に、この実施の形態例１の巻込み防止具Ａの使用の方法を説明する。上記本体１を上記蝶番２を境にして開き、図１に示す様に、開いた本体１を金属製の滑車Ｂに出入する一側のワイヤロープＣの滑車Ｂ近くのワイヤロープＣに被せる。さらに、上記２本のアーム部５、５の磁石８、８を使って、上記滑車Ｂの外側に各アーム部５、５の先端を磁力により固着する。これにより、上記本体１の開放端が合わさり、本体１を閉じる。
【００２０】
この後、上記滑車Ｂの他側のワイヤロープＣにも同様にして別の巻込み防止具Ａを取り付ける。以上の様に、滑車Ｂ近くの両側のワイヤロープにこの巻込み防止具Ａを取付け、これらの状態で滑車Ｂを使用し、この滑車Ｂの巻込み口に、作業員の体や衣服などが巻き込まれないようにしている。
【００２１】
また、図３に示す様に、上記本体１の内側に緩衝材、例えば、硬質ウレタン材９などを取り付ければ、本体の内側をワイヤロープＣが接触しながら挿通しても、本体１の内側を破損することも無く安心であり、また、この巻込み防止具Ａを長期にわたって使用することが出来る。
【００２２】
さらに、本体１の外側に目立つ着色、例えば、赤、オレンジ、黄色又は単色ではなく縞模様などの着色を行えば（図示省略）、作業員の注意喚起を図れると共に、この巻込み防止具Ａが滑車Ｂに取付けられているか否かが一目で分かり、さらに、安全である。
【００２３】
続いて、この実施の形態例２の巻込み防止具Ａ´を説明する。ここでは、上記実施の形態例１と異なる構成のみを説明する。この実施の形態例２では、図５及び図６に示す様に、各分割片１ａ、１ｂの相対向する他方の端縁に夫々係止具として爪１０を互い違いに取り付けて、本体１を係止自在に設けている。
【００２４】
これにより、この実施の形態例２の巻込み防止具Ａ´を使用する際、上記本体１を開き、開いた本体１を金属製の滑車Ｂ近くのワイヤロープに被せ、上記２本のアーム部５、５の磁石８、８を使って上記滑車Ｂの外側に磁力で固着する。これにより、当該本体１の開放端を閉じ、当該本体１の係止具である爪１０を使って本体１をより確実に係止固定する。
【００２５】
この時、上記本体１の他方の相対向する端縁に夫々係止具として爪１０、１０を互い違いに取り付け、これらの端縁を閉じた際、各爪１０、１０が相対向する端縁の内側に入り込むようにしたので、この巻込み防止具Ａ´をワイヤロープに被せて取り付ける際、上記２本のアーム部５、５の磁石８、８を使って、上記滑車Ｂの外側に各アーム部５の先端を固着する。これにより、上記本体１の開放端が合わさり、上記各爪１０、１０が夫々開放端の内側に入り込んで本体１を閉じ、より確実に本体１をワイヤロープに取付けることが出来、安心である。
【００２６】
上記実施の形態例１において、この巻込み防止具Ａを取付ける対象として滑車Ｂを使用しているが、滑車の他、金車など、この巻込み防止具Ａを取付けて効果が得られるものであれば他のものでも良い。また、滑車Ｂに出入する滑車Ｂ近くの両側のワイヤロープＣ夫々に巻込み防止具Ａを取付けているがどちらか一方でも良い。また、本体１を鉄製としているが鉄製に限らず、他の金属から成るものでも良い。
【００２７】
さらに、滑車の内部を挿通する線条体としてワイヤロープＣを使用しているが、線条体としてはワイヤロープに限るものでは無く、他のロープ、ワイヤなどでももちろん良い。
【００２８】
また、上記実施の形態例２において、凹凸形状の係止具として相対向する他方の端縁に爪１０、１０を夫々互い違いに取り付け、これらの端縁を閉じた際、各爪１０、１０が相対向する端縁の内側に入り込むようにしたが、係止具としてはこれらの構成に限るものでは無く、相対向する端縁を確実に係止できるものであれば他の凹凸形状の構成によるものでも良い。
【符号の説明】
【００２９】
Ａ    巻込み防止具        Ａ´  巻込み防止具    Ｂ    滑車                
Ｃ    ワイヤロープ
１    本体                ２    蝶番           ３       ボルト
４    ナット              ５    アーム部       ６       ボルト
７    ナット              ８   磁石            ９       硬質ウレタン材
１０    爪
【図１】
2018138482.tif 000003
【図２】
2018138482.tif 000004
【図３】
2018138482.tif 000005
【図４】
2018138482.tif 000006
【図５】
2018138482.tif 000007
【図６】
2018138482.tif 000008